(57)【要約】      （修正有）【課題】ペットボトル又は、マイボトルなどの多様な容器内で茶葉から抽出されたお茶などを飲用するに際して、その抽出効率性と取り扱い性に優れたボトル内装抽出器を提供する。【解決手段】ペットボトルなどの容器Ｂ内にその飲み口となるキャップ装着部Ｃから挿入され、茶葉を収納する茶葉収納体１４を係止するスリットと、全体が円弧状またはループ状に形成される弾性材からなるボトル内固定部１２とで、一体のボトル内装抽出器１０を構成する。【選択図】図２
0003168815.tif 000002
【実用新案登録請求の範囲】
【請求項１】
容器内に、茶葉を収納した茶葉収納体を係止部によって係止するボトル内装抽出器であって、
飲み口となるキャップ装着部から挿入されて容器内で円弧状またはループ状に曲げられて容器内壁に弾性力により圧着固定されるボトル内固定部を備え、
茶葉収納体を容器内の所定位置に安定に保持するようにしたことを特徴とするボトル内装抽出器。
【請求項２】
前記ボトル内装抽出器が、茶葉を収納した茶葉収納体を係止するためのスリットを備えていることを特徴とする請求項１に記載のボトル内装抽出器。
【請求項３】
前記ボトル内装抽出器が、前記容器内に入れられるお湯の温度により拡大変形して前記茶葉収納体を容器内の所定位置に保持させる形状記憶材で形成されていることを特徴とする請求項１又は２に記載のボトル内装抽出器。
【考案の詳細な説明】
【技術分野】
【０００１】
本考案は、ペットボトルなどの空の容器または、携行保温ボトル（マイボトル）に湯水や冷水などを注ぎ入れ、その容器内で、緑茶、麦茶、紅茶、ウーロン茶、ハーブティー、コーヒーなどの被抽出材からその成分を抽出して、お茶等の飲料に調製することができ、使用済みペットボトルなどを簡易に再利用することのできるボトル内装抽出器に関する。
【背景技術】
【０００２】
ペットボトルはキャップなどで再封止できるため、いつでも飲めるように手元に置いたり、バッグ等に入れて持ち歩いたりすることができる。このようなペットボトルは飲み終わっただけで廃棄しているのが現状であり、資源活用の点からも再利用方法が求められている。
また、緑茶、麦茶、ウーロン茶、健康茶、紅茶、ハーブティー、コーヒーなどの葉やそれらの抽出物を紙袋などに収納したティーバッグなどが茶こしを使うことなく手軽にお茶を飲むことができるので、広く使用されている。
【０００３】
使用済みペットボトルを再利用するために、市販の緑茶などのティーバッグをペットボトル内に入れようとしても、従来のティーバッグのサイズは幅広でペットボトルの口部から入れるのに手間がかかる。飲むときには注口部を塞ぎ最後まで飲みきるためには非常に不便である。取り出す時には、水分を吸って膨張し不可能となり、リサイクルが困難となる。そのため、茶葉（被抽出材）を急須やティーポットに入れてお茶とした溶液をペットボトルに移しているが、このような作業は不便であった。
【０００４】
このため、空のペットボトルなどを飲用容器として再利用できるようにするボトル内装抽出器として、例えば、以下のような技術のものが知られている。
特許文献１（特開２００３−２４６３６５号公報）には、茶葉を収納する袋の幅又は筒状体の断面最大直径がペットボトルの口部の内径以下であり、袋又は筒状体に取付けられた糸の他端にペットボトルの口部又はキャップに嵌り込むタブを取付けるようにしたペットボトル用スティック状ティーバッグが記載されている。
特許文献２（特開２００４−２４２８６３号公報）には、水または湯に浸されることにより飲料成分が溶け出す材料が収容された透水性の袋体と、前記袋体を保持すると共に前記袋体をプラスチック製ボトルの口部から前記プラスチック製ボトル内に挿入した際に前記口部の内側面に弾性変形の復元力で固定される弾性変形可能な頭部を有するスティックと、を備えた飲料作製具が記載されている。
【先行技術文献】
【特許文献】
【０００５】
【特許文献１】特開２００３−２４６３６５号公報
【特許文献２】特開２００４−２４２８６３号公報
【考案の概要】
【考案が解決しようとする課題】
【０００６】
しかしながら、前記従来のボトル内装抽出器では、ペットボトルにお湯を入れて茶葉など抽出する際に飲用容器内で茶葉を安定に保持しにくく、以下のような問題点があった。
１）ボトル口元の茶葉を保持する茶こし網状の部分に被抽出材が溜まり、目詰まりをおこし、抽出液が出にくい。
２）被抽出材をボトル内へ直接投入するため、蓋部分に被抽出材が付着すると、蓋の密閉性が低下し、お茶が漏れることがある。
３）ペットボトルを洗浄するとき、多量の水と被抽出材とが混在しているため、多量の洗浄水を必要とする。
４）ティーバックを用いた場合は、茶葉が入った使用済みのティーバックの取り出し処理に手間がかかることがあった。
【０００７】
特に特許文献１のスティック状ティーバッグでは、茶葉を収納する袋と、ボトル口部に嵌まり込むタブとが糸で連結されているだけなので、ペットボトルに直接口を付けて飲用する時などにおいて、茶葉を収納した袋が注出口を塞いでお茶が出てこないという不具合があった。
また、特許文献２のスティックを備えた飲料作製具においても、ボトル口部に固定される頭部と袋体とを接続するスティック自体に茶葉を収納した袋体を飲用容器内に固定して位置付けるため、剛性や強度に乏しく、安定性に欠けるという欠点があった。
【０００８】
本考案は、前記従来の課題を解決するため、ペットボトルなどの容器内で茶葉（被抽出材）からお茶成分を抽出して、その抽出されたお茶などを飲用するに際して、抽出効率性と取り扱い性に優れたボトル内装抽出器を提供することを目的とする。
このような課題解決によって、使用済みペットボトルなどを活用して、好みの茶葉などを簡単に抽出して外出時に持ち運ぶ事ができ、移動中においても茶葉の抽出を効率良く行え、ボトルを繰り返し使用する事により資源の有効活用ができる。
【課題を解決するための手段】
【０００９】
（１）本考案のボトル内装抽出器は、
容器内に、茶葉を収納した茶葉収納体を係止部によって係止するボトル内装抽出器であって、
飲み口となるキャップ装着部から挿入されて容器内で円弧状またはループ状に曲げられて容器内壁に弾性力により圧着固定されるボトル内固定部を備え、茶葉収納体を容器内の所定位置に安定に保持するようにしたことを特徴とする。
すなわち、ボトル内装抽出器は、一体の弾性材で出来ており、中央で円弧状に曲げボトル内壁に圧着されて固定されるボトル内固定部と、茶葉等（被抽出材）を収納するメッシュバッグやお茶パック（茶葉収納体）を挟み込む係止部とで構成される。
本考案のボトル内装抽出器は、ペットボトルやマイボトルなどの容器（ボトル）内にその飲み口となるキャップ装着部から挿入され、容器内の所定位置に被抽出材を保持させる。
【００１０】
（２）本考案のボトル内装抽出器は、前記（１）において、
前記ボトル内装抽出器が、茶葉を収納した茶葉収納体を係止するためのスリットを備えていることを特徴とする。
（３）本考案のボトル内装抽出器は、前記（１）又は（２）において、
前記ボトル内装抽出器が、前記容器内に入れられるお湯の温度により拡大変形して前記茶葉収納体を容器内の所定位置に保持させる形状記憶材で形成されていることを特徴とする。
【考案の効果】
【００１１】
本考案のボトル内装抽出器は、茶葉収納体を容易に挟み込む係止部を有し、容器内に固定するため、被抽出材を容器内の所定位置に安定に保持することができる。
このような構成により、ペットボトルやマイボトルなどを用いて好みの茶葉を簡単に抽出して外出時に持ち運ぶ事ができる。
また、容器内の所定位置で茶葉を抽出するので、飲用するときに、ボトル口部が茶葉収納体で塞がれたり液だれを起こしたりすることがなく、取り扱い性にも優れている。
さらに、繰り返し本考案のボトル内装抽出器と容器を使用する事により資源の有効活用もできる。
【図面の簡単な説明】
【００１２】
【図１】容器内に、実施例に係るボトル内装抽出器に茶葉収納体を挟み込んで挿入した状態を示す。
【図２】低い容器内に、ボトル内装抽出器に茶葉収納体を挟み込んで挿入した状態を示す。
【図３】広口のマイボトルなどの飲み口が内装された容器に、ボトル内装抽出器に茶葉収納体を挟み込んで挿入した状態を示す。
【図４】容器内に挿入される前のボトル内装抽出器を広げた状態を示す平面図である。
【図５】（ａ）はボトル内装抽出器が挿入された容器の使用形態を示し、（ｂ）は先行技術の問題点を示した概略説明図である。
【考案を実施するための形態】
【００１３】
本実施形態に係るボトル内装抽出器は、一体の弾性材となっており、その両端部に茶葉収納体を容易に挟み込む係止部を有し、茶葉収納体を取り付け、曲げて両端部を重ね又は、ループ状にし、ボトル内にその飲み口となるキャップ装着部から挿入出来る形状とする。
【００１４】
従来技術のように、ボトルの蓋にティーバックや抽出器皿を付けたものは飲用するときに邪魔になったり、液だれを起こしたりすることがあるが、本考案のボトル内装抽出器を適用する場合には抽出器の全部が容器内に収納されているので、飲用するときに邪魔になったり液だれを起こすことがない。
【００１５】
ボトル内装抽出器は、ペットボトルなどの容器に入れられた緑茶、麦茶、ウーロン茶、健康茶、紅茶、ハーブティーなどの茶葉から、同じく容器に注いだお湯中にこれらを抽出するために用いられ、茶葉収納体を挟み込む切れ込み（係止部、例えばスリット）加工が施された一体の弾性材である。なお、これらの部材は、針金材、プラスチック材、形状記憶材や、紙材などで形成することができる。また、同一素材により全体を一体に構成したりすることも出来る。
【００１６】
茶葉収納体は、茶葉の入ったティーパックや、好みの茶葉を入れられる針金や金属網、透水性紙材、プラスチックネットなどによる茶こし機能を有する収納体である。
【００１７】
ボトル内固定部は、金属材やプラスチック材などからなる弾性材からなり、中央で円弧状に曲げられて容器に収納された後、ボトル内壁に弾性力により圧着されることにより、容器内の所定位置に茶葉収納体を安定して保持させ、ボトル内の水や湯による茶葉の抽出を効率的に行うことができるようにしたものである。
ボトル内固定部の幅は、スムーズな排水を得るため注出口付近を狭くする、若しくは中央に開口し排水口を設けることが好ましい。
【００１８】
ボトル内装抽出器の摘出時は、容器の注出口の狭くなっている部分に指を入れ又は、器具を入れて、引っ掛け取り出す。
なお、容器の開口部に取り出しクリップを設ける事も可能である。
【００１９】
本実施形態のボトル内装抽出器は以下のようにその設定条件をまとめることができる。
・容易に切断可能な材料を使うことで、多様なボトルに適用可能である。
・ボトルの大きさを変えて使用する場合は、帯形状にしたボトル内固定部の端部にもスリットを入れ、ボトル内固定部の端部を重ねるようにループ状にした後、容器内に挿入すれば使用しやすくなる。
また、端部のスリットの長さを変えて重ね合わせる位置を変えることにより一つのボトル内装抽出器で多様な容器に繰り返し適用可能である。
・弾性材を使用することにより、ボトルの多少の長さ変化を吸収し、ボトルに圧着して安定使用出来る。
・飲用するときの抽出器落下防止はボトルに圧着させて安定化させる。
・ボトル内装抽出器の摘出時は、容器の注出口の狭くなっている部分に指を入れ又は、器具を入れて、引っ掛け取り出す。
・開口部に取り出しクリップを設ける事も可能である。
・容器内に入り込まないように、円弧状またはループ状となるボトル内装抽出器の長さを調整する。
【００２０】
以上説明したように、本実施形態のボトル内装抽出器は、袋状の茶葉収納体を容器内に容易に取付・固定させるために、ボトル内固定部によりボトル内壁に圧着させる。
以上説明したように、本実施形態のボトル内装抽出器は、以下のような具体的効果を有する。
・使用済みボトルを繰り返し使用することができる。
・多様なボトルに適用可能である。
・抽出器を収容したままキャップができる。
・持ち運びながら、お茶を抽出できる
・市販のボトルに入れやすく、容易に取り出すことができる。
・水又は温水により、移動中に長時間かけて抽出できるため、熱による成分の変質を抑え、抽出効率を高めることができる。
・自分の好みの茶葉を使用して、その香りや浸度を調節でき、自分好みのお茶を手間をかけずに作れるとともにコストを削減できる。
・好みの茶葉を用意することにより簡易に抽出して、そのままボトルの飲み口から直接飲用できる。
【００２１】
（実施例）
本実施例のボトル内装抽出器について図面を参照して、さらに具体化して説明する。
図１は、容器内に、実施例に係るボトル内装抽出器に茶葉収納体を挟み込んで挿入した状態を示す。
図２は、低い容器内に、ボトル内装抽出器に茶葉収納体を挟み込んで挿入した状態を示す。
この場合、重ね合わせ箇所ができるので、茶葉収納体を予め切れ込み（スリット）に挟み込みループ状を形成させた後容器内に挿入すると使いやすい。
図３は、広口のマイボトルなどの飲み口が内装された容器に、ボトル内装抽出器に茶葉収納体を挟み込んで挿入した状態を示す。
マイボトルなどの広口ボトルの場合、ボトル肩の出が少ない形状が多いが、ほとんどにおいて飲み口具Ｄが内装されている。その内装飲み口部で圧着固定した状態を示す。
図４は容器内に挿入される前のボトル内装抽出器を広げた平面図である。
図１〜図４に示すように、本実施例のボトル内装抽出器１０は、茶葉収納体固定部１１に茶葉収納体１４をスリット１３に挟み込ませて、容器Ｂ内に、その飲み口となるキャップ装着部Ｃから挿入され、ボトル内固定部１２で弾性力を利用して圧着固定される。
【００２２】
こうして、容器Ｂ内の所定位置に茶葉収納体１４を係止して、容器内で抽出されたお茶を保管しておくことができる。
【００２３】
さらに、ボトル内装抽出器１０の注出口に利用者が口を付けて直接飲用する時には、図５（ａ）に示すように、飲用後期には茶葉収納体１４が液面上に保持されるので、最後の一滴まで支障なく飲み干すことができる。
これに対して、図５（ｂ）に示すように従来のものでは、茶葉収納体が容器内の壁面に沿って滑り落ちて茶葉が集まり注出口を塞ぐようになるために、出が悪くなる。
【００２４】
なお、係止部１３の形状は、ボトル内固定部の長手方向に沿って切り込みを入れたスリットが好適に例示できるが、その他の形状でも茶葉収納体１４を容易に係止できればよい。例えば、円、楕円、四角形などでもよい。さらに、切り込みでなく突起状のものでもよい。
【００２５】
さらに、本考案におけるボトル内装抽出器は、前記容器内に入れられるお湯の温度により予め設定した拡大形態に変形して、前記茶葉収納体を容器底部の所定位置に保持できるように形状記憶金属により形成することもできる。
これによって、茶葉収納体を容器底部の所定位置にさらに確実に位置付けることができ、飲用時における安定性が高められる。
【００２６】
以上説明したように、本考案のボトル内装抽出器は、容器内にその飲み口となるキャップ装着部から、挿入、取り外しを繰り返し簡単に行うために、茶葉収納体を係止した一体の弾性材を中央で円弧状またはループ状に曲げ、挿入し、容器内壁に弾性力により圧着固定することにより茶葉収納体を容器内の所定位置に安定に保持することができることを要旨とするものであり、これに該当するものは本考案の権利範囲に属するものである。
プラスチック材などの同一素材による一体成形することと簡素化することにより、安価に大量生産することが可能である。
そのことにより、利用者自ら多様な容器に合わせ、切断等の加工を手軽に行うことが出来る。
【符号の説明】
【００２７】
１０    実施例のボトル内装抽出器
１１    茶葉収納体固定部
１２    ボトル内固定部
１３    茶葉収納体を挟み込む切れ込み（係止部、スリット）
１４    茶葉収納体
Ｂ    容器
Ｃ    キャップ装着部
Ｄ    飲み口具
【図１】
0003168815.tif 000003
【図２】
0003168815.tif 000004
【図３】
0003168815.tif 000005
【図４】
0003168815.tif 000006
【図５】
0003168815.tif 000007